(57)【要約】【課題】システム構成や接続を複雑にすることを避けたうえで、室外からの情報を室内へ提供するだけでなく許可された者だけに室内からの情報を室外へも提供することで、個人情報の流出を防ぎプライバシーを守ることが可能で、かつ、安価で設置しやすく安全性の高いセキュリティシステムを提供する。【解決手段】室内外の双方向に情報取得と情報確認ができる情報端末を備え、前記室内端末で取得した情報を確認することができる者かどうかを判断する認証部を設けた。また、室内外のドアや窓、センサーとの複雑な配線や制御を避け、さらに、前記室外端末と前記室内端末を、第３者の室外端末や室内端末および集中管理専用線や汎用インターネット等の他の通信網と接続しない独立した通信線とした。【選択図】図１
2006253883.tif 000002
【特許請求の範囲】
【請求項１】
室外端末から情報取得し、当該情報を確認できる室内端末と、
前記室内端末から情報取得し、当該情報を確認できる前記室外端末と、
前記室内端末で取得した情報を前記室外端末で確認することができる者かどうかを判断する認証部と、
から構成されることを特徴とする双方向ドアホンセキュリティシステム。
【請求項２】
室外端末から情報取得し、当該情報を確認できる室内端末と、
前記室内端末から情報取得し、当該情報を確認できる前記室外端末と、
当該情報を蓄積できる情報蓄積部と、
前記情報蓄積部に蓄積した当該情報を室外端末もしくは室内端末で確認することができる者かどうかを判断する認証部と、
から構成されることを特徴とする双方向ドアホンセキュリティシステム。
【請求項３】
前記室外端末または前記室内端末の少なくとも１つ以上を、着脱可能とすることを特徴とする請求項１または請求項２に記載の双方向ドアホンセキュリティシステム。
【請求項４】
前記室外端末は音声情報を得るための音声情報取得手段を備え、
前記室内端末は取得した音声情報を聞くための音声情報確認手段を備えることを特徴とする請求項１から請求項３のいずれかに記載の双方向ドアホンセキュリティシステム。
【請求項５】
前記室外端末は映像情報を得るための映像情報取得手段を備え、
前記室内端末は取得した映像情報を見るための映像情報確認手段を備えることを特徴とする請求項１から請求項３のいずれかに記載の双方向ドアホンセキュリティシステム。
【請求項６】
前記室内端末は音声情報を得るための音声情報取得手段を備え、
前記室外端末は取得した音声情報を聞くための音声情報確認手段を備えることを特徴とする請求項１から請求項３のいずれかに記載の双方向ドアホンセキュリティシステム。
【請求項７】
前記室内端末は映像情報を得るための映像情報取得手段を備え、
前記室外端末は取得した映像情報を見るための映像情報確認手段を備えることを特徴とする請求項１から請求項３のいずれかに記載の双方向ドアホンセキュリティシステム。
【請求項８】
前記室内端末および室外端末は、請求項４または請求項５に記載の少なくとも１つ以上の機能を備え、かつ、請求項６または請求項７の少なくとも１つ以上の特徴を備えることを特徴とする双方向ドアホンセキュリティシステム。
【請求項９】
前記室内端末と室外端末との通信は、他の装置、ネットワークとは独立した通信線で接続されることを特徴とする請求項１から請求項８のいずれかに記載の双方向ドアホンセキュリティシステム。
【発明の詳細な説明】
【技術分野】
【０００１】
本発明は、個人情報の流出を防ぎプライバシーを保護したうえで室内外の情報を取得、確認できるドアホンセキュリティシステムに関する。
【背景技術】
【０００２】
従来、この種のドアホンや監視システムは、室外マイクロフォンや室外カメラなどの情報取得端末と、室内スピーカや室内モニタなどの確認端末を備え、室内利用者が室内から室外にいる来訪者や侵入者を確認するものであった。しかしながら、凶器を持った泥棒が先に室内へ侵入しているところに室内利用者が帰宅してはちあわせるなどの危険を回避するためには、室内利用者が入室する前に室外から室内の様子を確認するための手段が必要であった。
【０００３】
前記課題を解決する手段として、例えば、特許文献１や特許文献２に記載されているドアホンは、室内への侵入者の有無をドアや窓などの鍵の開閉動作や人感知センサーを用いて判断し、室内利用者の入室前に、室外から室内の侵入情報を得られるものであった。また、例えば、特許文献３や特許文献４に記載されているドアホンは、集合住宅や個別住宅において室内にカメラを設置し、室内利用者が入室する前に集中管理専用線や汎用インターネットを用いて室内の様子を確認できるものであった。
【特許文献１】特開２００５−４６３３号公報
【特許文献２】特開２００１−２７９９９９号公報
【特許文献３】特開平１１−３３１８３０号公報
【特許文献４】特開２００１−７６２７３号公報
【発明の開示】
【発明が解決しようとする課題】
【０００４】
しかしながら、前記従来の構成では、鍵の動作や人感知センサーとの連動や制御が必要であり、大掛かりなシステムであることが少なくなかった。
【０００５】
また、集中管理専用線や汎用インターネットと接続するため、室内利用者以外の第３者への個人情報の流出の問題が皆無であるとは言えなかった。
【０００６】
本発明は、前記課題を解決するために、システム構成や接続を複雑にすることを避けたうえで、室外からの情報を室内へ提供するだけでなく、許可された者だけに室内からの情報を室外へも提供する。その結果、個人情報の流出を防ぎプライバシーを守ることが可能で、かつ安価で設置しやすく安全性の高いセキュリティシステムを提供することができる。
【課題を解決するための手段】
【０００７】
前記従来の課題を解決するため、本発明の双方向ドアホンセキュリティシステムは、室内外の双方向に情報取得と情報確認ができる情報端末を備え、前記室内端末で取得した情報を確認することができる者かどうかを判断する認証部を設ける。また、室内外のドアや窓、センサーとの複雑な配線や制御を避け、さらに、前記室外端末と前記室内端末を、第３者の室外端末や室内端末および集中管理専用線や汎用インターネット等の他の通信網と接続しないように設置する。この構成によって、室内外双方における危険を回避でき、また、システムが複雑、高価になるのを防ぎ、さらに個人情報の流出を防止する。
【発明の効果】
【０００８】
以上のように、本発明の双方向ドアホンセキュリティシステムによれば、個人情報の流出を防ぎプライバシーを保護したうえで、室内外の双方向で情報を取得、確認できることで安全性や防犯性を高めることができる。さらに、安価で設置しやすいセキュリティシステムであるため、借家住まいなどで、高価で設置が複雑であるセキュリティシステムの導入に二の足を踏んでいた者にも受け入れられやすく、社会全体における安全性や防犯性を高めることができる。
【発明を実施するための最良の形態】
【０００９】
以下に、本発明の実施の形態について、図面を参照しながら説明する。
【００１０】
（実施の形態１）
図１は、本発明の実施の形態１における双方向ドアホンセキュリティシステムの構成図である。
【００１１】
室内、室外それぞれにおいて、音声情報を取得するためのマイクロフォン１０２，１５２と、音声情報を確認するためのスピーカ１０３，１５３と、映像情報を取得するためのカメラ１０４，１５４と、映像情報を確認するためのモニタ１０５，１５５を有する端末１０１，１５１を設ける。また、室外端末１０１において、室内端末１５１で取得した情報を確認することができる者かどうかを判断する認証部１７１を設ける。また、室内外のドアや窓、センサーとの複雑な配線はせず、さらに、室外端末１０１と室内端末１５１を、第３者の室外端末や室内端末および集中管理専用線や汎用インターネット等の他の通信網とも接続しないように設置する。
【００１２】
以上のように構成された双方向ドアホンセキュリティシステムにおいて、室内利用者が室内にいる場合は、任意のタイミングあるいは室外端末１０１からの呼び出し信号などに応じて室外の侵入者や訪問者を、室内端末１５１を用いて音声と映像で確認することができるため、不審者である場合はドアを開ける必要がなく安全性が高いのはもちろんである。加えて、室内利用者が室外にいる場合は、認証部１７１で例えば特開２００２−２５９９８１号公報にあるような手段を用いて虹彩認証を行い許可された場合のみ室内の様子を、室外端末１０１を用いて音声と映像で確認可能とするため、室外の第３者による室内情報の盗聴や盗み見を防いでプライバシーを守ることができ、かつ、入室前に室外から室内の様子を知ることができるため、先に不審者が侵入しているなどの異常事態には危険を回避することができる。また、単純な構成であるため、導入が容易であり、管理人やネット上の第３者によって情報の盗聴や盗み見をされるといった危険が無く個人情報の流出を防ぐことができる。
【００１３】
なお、本実施の形態において、音声情報および映像情報を取得し確認するために、マイクロフォン１０２，１５２、スピーカ１０３，１５３、カメラ１０４，１５４、モニタ１０５，１５５を有する端末１０１，１５１を示したが、端末１０１，１５１は音声情報または映像情報の取得手段と確認手段の少なくとも１組以上がそれぞれ双方向に備わっていればよい。すなわち、室外端末にて音声情報を取得し、取得した音声情報を室内端末にて確認でき、室内端末にて映像情報を取得し、取得した映像情報を室外端末にて確認できるといったものでもよい。
【００１４】
また、前記のとおり取得手段と確認手段の少なくとも１組以上がそれぞれ双方向に備わっていれば、図２のように複数の端末からなるシステムを構成してもよく、情報の切り替えを行いたい場合はセレクタ２７１を設けてもよい。さらに、端末は、カメラ２０４，２５４のみや、マイクロフォン２０２，２５２などの単体機能のみを有していてもよく、これらの２つ以上の機能を有してもよい。
【００１５】
また、画像情報を取得する端末として用いるカメラ１０４，１５４，２０４，２５４は、可動する機能やズーム，フォーカスを制御する機能を有していてもよいし、暗い室内や室外の情報を取得するため赤外線投光機能を用いてもよいし、温度情報を取得できるサーモグラフィ機能を有しているなどしてもよい。
【００１６】
同様に、画像情報を確認する端末として用いるモニタ１０５，１５５，２０５，２５５は、前記機能を制御する制御ボタンを有していてもよいし、タッチパネルを用いた選択式などでもよい。
【００１７】
また、音声情報を確認するためのスピーカ１０３，１５３とは別にスピーカ２０３，２５３に切り替えてもよい。
【００１８】
また、図３のように、確認手段となる端末もしくは端末の一部を取り外し可能にして、情報を確認する場合のみ情報を送受信するコネクタ３０１に、取り外したモニタ１０５のコネクタ３０２を接続して使用してもよいし、室外端末あるいは室内端末として、取得手段あるいは確認手段となる認証部３７１、もしくは端末の一部をつなぐコネクタ３０６，３５６を有してもよいし、図４のように、室外端末１０１やコネクタ３０６に確認手段となるスピーカやモニタといった機能や端末を有さずとも、情報を送受信するコネクタ３０１，３０６と、携帯端末４０１のような別の端末のコネクタ４０２と接続することによって同様の効果を得てもよい。
【００１９】
さらに、前記コネクタ３０１，３０２，３０６，３５６，４０２は必ずしも有線である必要はなく、セキュリティが保たれる距離での赤外線通信などの無線手段を用いてもよい。
【００２０】
また、認証部１７１，３７１は端末それぞれで保有してもよいし、システムとして認証部１７１または認証部３７１を保有しそれぞれの端末と接続して共通に参照するなど、同様の効果が得られれば接続構成は問わない。また、認証部１７１および認証部３７１の認証方法は前記方法には限らない。
【００２１】
（実施の形態２）
図５は、本発明の実施の形態２における双方向ドアホンセキュリティシステムの構成図である。
【００２２】
図５において、図１と同じ構成については同じ符号を用い、説明を省略する。本実施の形態では、情報取得端末で取得した情報を蓄積するための情報蓄積部としてハードディスクドライブ（ＨＤＤ）５７１を設け、情報取得端末である室外端末１０１，室内端末１５１と接続している。また、室外端末１０１および室内端末１５１は認証部１７１と接続している。
【００２３】
以上のように構成された双方向ドアホンセキュリティシステムにおいて、室内利用者が任意のタイミングあるいは室外端末１０１からの呼び出し信号やあらかじめ設定しておいた時刻などに応じて取得した情報をハードディスクドライブ５７１に蓄積するため、不審者や侵入者の記録を残したい場合や、室内利用者が不在であって室内外で取得した情報をそのときに確認できない場合でも、後から室外端末１０１や室内端末１５１を用いて情報を確認することができる。
【００２４】
また、ハードディスクドライブ５７１に蓄積した情報を確認できるのは認証部１７１で許可された場合のみとするため、第３者による蓄積情報の盗聴や盗み見を防ぎプライバシーを守ることができる。
【００２５】
なお、本実施の形態において、情報蓄積部としてハードディスクドライブ５７１を設けたが、ビデオデッキやメモリカードライターなど、その他の情報蓄積装置を設けてもよい。
【００２６】
また、図６のように、情報蓄積部であるハードディスクドライブ５７１と認証部１７１を接続してもよいし、それぞれの端末に情報蓄積部であるハードディスクドライブ５７１と認証部１７１を有してもよい。
【００２７】
また、それぞれの端末と情報蓄積部であるハードディスクドライブ５７１と認証部１７１とを接続しあうなど、同様の効果が得られれば接続構成は問わない。
【００２８】
また、情報蓄積部のハードディスクドライブ５７１へ蓄積する情報は暗号化してもよいし、暗号化した情報は認証部１７１で許可された場合のみ復号化してもよい。
【００２９】
さらに、実施の形態１で説明したそれぞれの形態を本実施の形態へもあてはめることができる。
【産業上の利用可能性】
【００３０】
本発明にかかる双方向ドアホンセキュリティシステムは、室内外の双方向に情報取得と情報確認ができる情報端末を備え、前記室内端末で取得した情報を確認することができる者かどうかを判断する認証部を備え、室内外のドアや窓、センサーとの複雑な配線や制御を避け、集中管理専用線や汎用インターネット等の他の通信網と接続しないように設置したセキュリティシステムは、室内外双方における危険を回避でき、また、システムが複雑、高価になるのを防ぎ、さらに、個人情報の流出を防止することができるので、個別住宅や集合住宅の室内外に設置する双方向ドアホンセキュリティシステム等の用途に有用である。
【図面の簡単な説明】
【００３１】
【図１】本発明の実施の形態１における双方向ドアホンセキュリティシステムの構成図
【図２】本発明の実施の形態１における他の双方向ドアホンセキュリティシステムの構成図
【図３】本発明の実施の形態１における他の双方向ドアホンセキュリティシステムの構成図
【図４】本発明の実施の形態１における他の双方向ドアホンセキュリティシステムの構成図
【図５】本発明の実施の形態２における双方向ドアホンセキュリティシステムの構成図
【図６】本発明の実施の形態２における他の双方向ドアホンセキュリティシステムの構成図
【符号の説明】
【００３２】
１０１  室外端末
１０２、１５２、２０２、２５２  マイクロフォン
１０３、１５３、２０３、２５３  スピーカ
１０４、１５４、２０４、２５４  カメラ
１０５、１５５、２０５、２５５  モニタ
１５１  室内端末
１７１、３７１  認証部
２７１  セレクタ
３０１、３０２、３０６、３５６、４０２  コネクタ
５７１  ハードディスクドライブ（ＨＤＤ）
【図１】
2006253883.tif 000003
【図２】
2006253883.tif 000004
【図３】
2006253883.tif 000005
【図４】
2006253883.tif 000006
【図５】
2006253883.tif 000007
【図６】
2006253883.tif 000008